(57)【要約】      （修正有）【課題】床面用型枠の上のみで作業が可能となることによって、ボイドブロックの固定作業性を向上させることができるボイドブロックの固定具を提供する。【解決手段】ボイドブロックＰを受けるためのブロック受け台１と、該ブロック受け台を床面用型枠Ｆに固定するための台固定手段と、連結体３と、を備え、前記台固定手段は、前記床面用型枠に設けられた上下方向に貫通した掛止孔に、該床面用型枠の上方から挿入されるＬ形フック部を有する係止体と、該係止体を引き上げて前記掛止孔に挿入された前記フック部を前記床面用型枠の下面に掛止させるための引き上げ手段と、を備え、前記連結体は、前記係止体が引き上げた状態で、前記ブロック受け台と前記台固定手段とを連結することを特徴とする。【選択図】    図７
2005009212.tif 000002
【特許請求の範囲】
【請求項１】
ボイドブロックを受けるためのブロック受け台と、該ブロック受け台を床面用型枠に固定するための台固定手段と、連結体と、を備え、
前記台固定手段は、前記床面用型枠に設けられた上下方向に貫通した掛止孔に、該床面用型枠の上方から挿入されるＬ形フック部を有する係止体と、該係止体を引き上げて前記掛止孔に挿入された前記フック部を前記床面用型枠の下面に掛止させるための引き上げ手段と、を備え、
前記連結体は、前記係止体が引き上げられた状態で、前記ブロック受け台と前記台固定手段とを連結することを特徴とするボイドブロックの固定具。
【請求項２】
ボイドブロックを受けるためのブロック受け台と、該ブロック受け台を床面用型枠に固定するための台固定手段と、を備え、
前記台固定手段は、前記床面用型枠に設けられた上下方向に貫通した掛止孔に、該床面用型枠の上方から挿入されるＬ形フック部を有する係止体と、該係止体を引き上げて前記掛止孔に挿入された前記フック部を前記床面用型枠の下面に掛止させるための引き上げ手段と、を備え、且つ、該引き上げ手段は前記ブロック受け台と引き上げられた状態の前記係止体とを連結する連結手段を兼ねることを特徴とするボイドブロックの固定具。
【請求項３】
ボイドブロックを受けるためのブロック受け台と、前記ボイドブロックを押し下げることによって該ブロック受け台を床面用型枠に固定し、且つ該ブロック受け台からボイドブロックが浮き上がるのを防止する台固定手段と、を備え、
前記台固定手段は、前記床面用型枠に設けられた上下方向に貫通した掛止孔に、該床面用型枠の上方から挿入されるＬ形フック部を有する係止体と、該係止体を引き上げて前記掛止孔に挿入された前記フック部を前記床面用型枠の下面に掛止させ、且つ前記係止体を前記ボイドブロックに固定するための引き上げ体と、を備えたことを特徴とするボイドブロックの固定具。
【請求項４】
前記引き上げ体は、前記係止体が固定され、且つ前記ボイドブロックの下側に配設される管当て材と、前記ボイドブロックの上側周面に沿って配設され、且つ両端部が前記管当て材の両端部に連結される緊張材と、を備え、
前記緊張材を緊張させて該緊張材及び前記管当て材を前記ボイドブロックの外周面に圧接することにより前記係止体を引き上げるようにしたことを特徴とする請求項３に記載のボイドブロックの固定具。
【発明の詳細な説明】
【０００１】
【発明の属する技術分野】
本発明は、ＲＣ造スラブに埋設されるボイドブロック（中空スラブ管等を含む）をスラブ型枠の床面用型枠の上方に位置させるための固定具に関する。
【０００２】
【従来の技術】
建築分野等でＲＣ造の中空スラブを施工する場合には、ボイドブロックを支持するためのブロック受け台が用いられる。かかるブロック受け台は、ボイドブロックの外周下部に接する受杆に下方へ延びる脚杆を固定して形成されている。また、スラブ型枠の床面用型枠を貫通するボルトによって床面用型枠上面に枠当具が固定され、該枠当具にブロック受け台の脚杆が取り付けられるようになっている（例えば、特許文献１参照。）。
【０００３】
【特許文献１】
特開２０００―１６０５１１号公報（全頁、全図）
【０００４】
【発明が解決しようとする課題】
しかしながら、前記ボルトは、前記床面用型枠の貫通孔に、下方から挿入されるので、作業者は型枠の下側に回り込まなければならず、しかも、型枠の上側と下側とで同時に作業を進行させなければならないので、作業能率が悪くなるという問題があった。
【０００５】
本発明は、上記の点に鑑みてなされたものであって、床面用型枠の上のみで作業が可能となることによって、ボイドブロックの固定作業性を向上させることができるボイドブロックの固定具を提供する。
【０００６】
【課題を解決するための手段】
本発明のボイドブロックの固定具は、ボイドブロックを受けるためのブロック受け台と、該ブロック受け台を床面用型枠に固定するための台固定手段と、連結体と、を備え、前記台固定手段は、前記床面用型枠に設けられた上下方向に貫通した掛止孔に、該床面用型枠の上方から挿入されるＬ形フック部を有する係止体と、該係止体を引き上げて前記掛止孔に挿入された前記フック部を前記床面用型枠の下面に掛止させるための引き上げ手段と、を備え、前記連結体は、前記係止体が引き上げられた状態で、前記ブロック受け台と前記台固定手段とを連結することを特徴とする。
【０００７】
また、本発明のボイドブロックの固定具は、ボイドブロックを受けるためのブロック受け台と、該ブロック受け台を床面用型枠に固定するための台固定手段と、を備え、前記台固定手段は、前記床面用型枠に設けられた上下方向に貫通した掛止孔に、該床面用型枠の上方から挿入されるＬ形フック部を有する係止体と、該係止体を引き上げて前記掛止孔に挿入された前記フック部を前記床面用型枠の下面に掛止させるための引き上げ手段と、を備え、且つ、該引き上げ手段は前記ブロック受け台と引き上げられた状態の前記係止体とを連結する連結手段を兼ねることを特徴とする。
【０００８】
また、本発明のボイドブロックの固定具は、ボイドブロックを受けるためのブロック受け台と、前記ボイドブロックを押し下げることによって該ブロック受け台を床面用型枠に固定し、且つ該ブロック受け台からボイドブロックが浮き上がるのを防止する台固定手段と、を備え、前記台固定手段は、前記床面用型枠に設けられた上下方向に貫通した掛止孔に、該床面用型枠の上方から挿入されるＬ形フック部を有する係止体と、該係止体を引き上げて前記掛止孔に挿入された前記フック部を前記床面用型枠の下面に掛止させ、且つ前記係止体を前記ボイドブロックに固定するための引き上げ体と、を備えたことを特徴とする。
【０００９】
前記引き上げ体は、前記係止体が固定され、且つ前記ボイドブロックの下側に配設される管当て材と、前記ボイドブロックの上側周面に沿って配設され、且つ両端部が前記管当て材の両端部に連結される緊張材と、を備え、前記緊張材を緊張させて該緊張材及び前記管当て材を前記ボイドブロックの外周面に圧接することにより前記係止体を引き上げるのが望ましい。
【００１０】
【発明の実施の形態】
以下、本発明の実施の形態を、図面に基いて説明する。
【００１１】
実施の形態１
図１乃至図７は実施形態１を示している。ボイドブロックＰの固定具は、ボイドブロックＰを受けるためのブロック受け台１と、該ブロック受け台１を床面用型枠Ｆに固定するための台固定手段２と、ブロック受け台１と台固定手段２とを連結する連結体３とを備えている。
【００１２】
ブロック受け台１は、ボイドブロックＰの下側外周に接する上向き弧状で両耳フック部１ａを有する受け杆１ｂを備え、該受け杆１ｂの左右両側には脚杆１ｃが溶接等で固定され、受け杆１ｂの中央には連結体３が溶接等で固定されている。連結体３の下部にはＬ形の連結フック部３ａが形成されている。
【００１３】
台固定手段２は、係止体４と、該係止体４を引き上げるための引き上げ体５とを備えている。
【００１４】
係止体４は丸棒鉄筋を屈曲して形成され、Ｌ形の下部フック部４ａ及び上部フック部４ｂを有する。
【００１５】
引き上げ体５は、鉄筋受け台を兼ね、図２のように下部には係止体４の収納溝５ａ及び該収納溝５ａと連通する嵌合孔５ｂが設けられ、上部には連結孔５ｃが設けられ、上面部には床スラブの配筋を受ける下鉄筋受け部５ｄが形成されている。
【００１６】
そして、以上の固定具を用いれば、次のようにしてボイドブロックＰを床面用型枠Ｆに極めて容易に固定することができる。
【００１７】
まず、図４（ａ）（ｂ）のように係止体４の下部フック部４ａを、係止体４を矢印のように回転させながら、床面用型枠Ｆの上方から該床面用型枠Ｆに設けられた上下方向に貫通した掛止孔Ｆ１に挿入した後、同図（ｃ）のように係止体４を掛止孔Ｆ１から垂らす。
【００１８】
次に、図５のように床面用型枠Ｆの上に位置する作業者が係止体４を引き上げて、下部フック部４ａを床面用型枠Ｆの下面に掛止させた状態において、引き上げ体５を矢印のように床面用型枠Ｆの上を移動させ、係止体４の上部フック部４ｂを引き上げ体５の嵌合孔５ｂに嵌合する。これによって、係止体４は、引き上げ体５によって引き上げられた状態が保持され、床面用型枠Ｆの掛止孔Ｆ１からの下部フック部４ａの抜け出しが阻止される。
【００１９】
一方、床配筋作業を行い、下鉄筋Ｒは、図６のように引き上げ体５の受け部で受けるようにする。
【００２０】
次に、図７のようにブロック受け台１を床面用型枠Ｆの上に載置し、ブロック受け台１に固定された連結体３の連結フック部３ａを引き上げ体５の連結孔５ｃに嵌合する。
【００２１】
これにより、ブロック受け台１が係止体４、引き上げ体５及び連結体３によって床面用型枠Ｆに固定されることになる。
【００２２】
次に、図３及び図７のようにボイドブロックＰの外周上部に番線から成る緊張材６を沿わせ、且つ該緊張材６をブロック受け台１の受け杆１ｂの両耳フック部１ａに掛止し、緊張材６をシノ等の工具で撚り合わせて受け杆１ｂ及び緊張材６をボイドブロックＰに圧接して固定する。
【００２３】
このように、本実施形態によれば、作業者は、床面用型枠Ｆの下方に移動する必要がなく、床面用型枠Ｆの上に位置してボイドブロックＰの固定作業を行うことができるので、施工能率を確実に向上させることができる。
【００２４】
実施形態２
図８乃至図１０は実施形態２を示し、ボイドブロックＰの固定具は、実施形態１と同様に、ブロック受け台１と、台固定手段２１と、連結体３と、を備えている。本実施形態では、台固定手段２１の引き上げ体５以外のものは、実施形態１のものと同じ構成であるので、同符号を付してそれらの説明を省略する。
【００２５】
引き上げ体５１は、鉄筋受け台を兼ね、図８のように前半部には係止体４の収納溝５１ａが形成され、後半部の上部には嵌合溝５１ｂが設けられ、後半部の下部には連結溝５１ｃが設けられ、嵌合溝５１ｂ及び連結溝５１ｃは収納溝５１ａと連通し、また、上面部には床スラブの下鉄筋の受け部５ｄが形成されている。
【００２６】
図９及び図１０は、固定具を用いてボイドブロックＰを床面用型枠Ｆに固定した状態を示しており、実施形態１との違いは、係止体４の上部フック部４ｂを引き上げ体５１の嵌合溝５１ｂに嵌合し、ブロック受け台１に固定された連結体３の連結フック部３ａを引き上げ体５１の連結溝５１ｃに嵌合している点である。
【００２７】
このように、本実施形態の固定具を用いても、ボイドブロックＰを床面用型枠Ｆに極めて容易に固定することができる。
【００２８】
実施形態３
図１１乃至図１４は実施形態３を示している。ブロック受け台１は、上述のように構成され、該ブロック受け台１には上述の連結体３が溶接等で固定されている。また、連結体３の下部にはＬ形の連結フック部３ａが形成されている。
【００２９】
台固定手段２２は、係止体４１と、該係止体４１を引き上げるための引き上げ体５３とを備えている。
【００３０】
係止体４１は、丸棒鉄筋で形成されたＬ形下部フック部４１ａを有する係止本体４１ｂと、合成樹脂製の上側係止部４１ｃとをインサート成形で一体化して形成されている。上側係止部４１ｃは太径部４１ｄと外鍔部４１ｅとで形成されている。なお、係止本体４１の外周には切り込み溝４１ｆが形成され、該切り込み溝４１によって両者の一体性が高められ、また、係止本体４１の上端には上側係止部４１ｃの抜けを防止する抜け止め鍔４１ｇが形成されている。
【００３１】
引き上げ体５３は、係止体４１の太径部４１ｄが載置される引き上げ台５３ａと、係止体４１の係止本体４１ｂが挿通される挿通溝５３ｂとを備えている。
【００３２】
図中の符号７は連結補助体であって、係止体４１の外鍔４１ｅが嵌合されるスリット状の嵌合溝７ａと、連結フック部３ａの連結溝７ｂと、鉄筋受け台７ｃとを備えている。
【００３３】
なお、その他の構成は上述の実施形態と同じであるので、図面に同符号を付してその説明を省略する。
【００３４】
以上の固定具を用いて、ボイドブロックＰを床面用型枠Ｆに固定する場合には、まず、図１２及び図１３のように係止体４１の下部フック部４１ａを、上述のように床面用型枠Ｆの掛止孔Ｆ１に上方から挿入し、作業者が係止体４１を引き上げて下部フック部４１ａを床面用型枠Ｆの下面に掛止させた状態において、引き上げ体５３を床面用型枠Ｆの上を移動させ、引き上げ体５３の挿通溝５３ｂに係止本体４１ｂを嵌合し、係止体４１の太径部４１ｄを引き上げ体５３の引き上げ台５３ａに載置して床面用型枠Ｆの掛止孔Ｆ１からの下部フック部４１ａの抜け出しを阻止する。次に、係止体４１の外鍔４１ｅに連結補助体７の嵌合溝７ａを嵌合し、連結補助体７の鉄筋受け７ｃに下側鉄筋Ｒを載置する。一方、ブロック受け台１を床面用型枠Ｆの上に載置し、ブロック受け台１に固定された連結体３の連結フック部３ａを連結補助体７の嵌合溝７ｂに嵌合する。これにより、ブロック受け台１が係止体４１、引き上げ体５３、連結体３及び連結補助体７によって床面用型枠Ｆに固定されることになる。なお、ボイドブロックＰは上述の緊張材６によりブロック受け台１に固定される。
【００３５】
実施形態４
図１５乃至図１７は実施形態４を示している。ブロック受け台１は、上述のように構成され、該ブロック受け台１には上述の連結体３が溶接等で固定されている。また、連結体３の下部にはＬ形の連結フック部３ａが形成されている。
【００３６】
台固定手段２は、上述のインサート成形体の係止体４１と、該係止体４１を引き上げるための引き上げ体５４とを備えている。
【００３７】
引き上げ体５４は、係止体４１の太径部４１ｄが載置される引き上げ台５４ａと、係止体４１の係止本体４１ｂが挿通される挿通溝５４ｂと、引き上げ台５４ａの左右両側に位置する下鉄筋受け台５４ｃと、上述の係止体４（丸棒鉄筋のみで形成されたもの）の上部フック部４ｂを載置するための第２引き上げ台５４ｄと、を備えている。第２引き上げ台５４ｄの上面には係止体４の上部フック部４ｂがはめ込まれるフック部溝５４ｅが形成され、第２引き上げ台５４ｄの下部には連結体３の連結フック部３ａの連結溝５４ｆが設けられている。
【００３８】
以上の固定具を用いて、ボイドブロックＰを床面用型枠Ｆに固定する場合には、まず、係止体４１の下部フック部４１ａを、上述のように床面用型枠Ｆの掛止孔Ｆ１に上方から挿入した後に、床面用型枠Ｆの上に位置する作業者が係止体４１を引き上げ、引き上げ体５４を床面用型枠Ｆの上を移動させ、引き上げ体５４の挿通溝５４ｂに係止本体４１ｂを嵌合し、係止体４１の太径部を引き上げ体５４の引き上げ台に載置して床面用型枠Ｆの掛止孔Ｆ１からの下部フック部４１ａの抜け出しを阻止する。次に、下側鉄筋Ｒを下鉄筋受け台５４ｃの上に載置し、ブロック受け台１を床面用型枠Ｆの上に載置し、ブロック受け台１の連結フック部３ａを第２引き上げ台５４ｄの連結溝５４ｆに嵌合する。これにより、ブロック受け台１が係止体４１、引き上げ体５４及び連結体３によって床面用型枠Ｆに固定されることになる。次に、上述のように緊張材６によりボイドブロックＰをブロック受け台１に固定する。
【００３９】
このように、係止体４１を用いる場合には、第２引き上げ台５４ｄは使用しないが、図１８のように係止体４を用いる場合には外係止体４の上部フック部４ｂを第２引き上げ台５４ｄに載せるようにする。
【００４０】
実施形態５
図１９は実施形態５を示している。ブロック受け台１は、実施形態１のように構成され、該ブロック受け台１には上述の連結体３が溶接等で固定されている。また、連結体３の下部にはＬ形の連結フック部３ａが形成されている。
【００４１】
台固定手段２は、係止体４と、該係止体４を引き上げるための引き上げ体５５とを備えている。
【００４２】
引き上げ体５５は、下鉄筋受け台を有しない点を除けば、実施形態４の引き上げ体５４と同じ構成となっており、上述の係止体４１の太径部４１ｄが載置される引き上げ台５５ａと、係止体４１の係止本体４１ｂが挿通される挿通溝５５ｂと、上述の係止体４（丸棒鉄筋のみで形成されたもの）の上部フック部４ｂを載置するための第２引き上げ台５５ｃとを備え、引き上げ台５５ｄの上面には係止体４の上部フック部４ｂがはめ込まれるフック部溝５５ｄが形成され、第２引き上げ台５４ｄの下部には連結体３の連結フック部３ａのための連結溝５５ｅが設けられている。
【００４３】
以上の固定具を用いたボイドブロックＰの施工内容は、下鉄筋Ｒを引き上げ体５５で受けない点を除き、実施形態４で述べた内容と同じである。
【００４４】
実施形態６
図２０乃至図２４は実施形態６を示している。ボイドブロックＰの固定具は、ボイドブロックＰを受けるためのブロック受け台１と、該ブロック受け台１を床面用型枠Ｆに固定するための台固定手段２と、を備えている。
【００４５】
台固定手段２は、図２３のようにＬ形下部フック部４２ａを有する係止体４２と、該係止体４２を引き上げる引き上げ手段８とを備えている
引き上げ手段８は、ブロック受け台１と係止体４２とを連結する連結手段を兼ね、受け杆１ｂの中央に溶接等で固定される連結体９と、係止体４２の上部に形成される雄めじ部４２ｂと、ナット１０とを備えている。連結体９の下部にはＬ形部９ａが形成され、該Ｌ形部には挿通孔９ｂが形成され、該連結孔９ｂに挿通された係止体４２の雄ねじ部４２ｂにナット９が螺合されるようになっている。
【００４６】
以上の固定具を用いて、ボイドブロックＰを床面用型枠Ｆに固定する場合には、図２１及び図２２のようにブロック受け台１を床面用型枠Ｆの上に載置する一方、係止体４２の下部フック部４２ａを、上述のように床面用型枠Ｆの掛止孔Ｆ１に上方から挿入し、係止体４２の雄ねじ部４２ｂを連結体９の連結孔９ａに挿通し、係止体４２の雄ねじ部４２ｂにナット１０を螺合し、該ナット１０を螺進させて係止体４２を引き上げることにより、下部フック部４２ａを床面用型枠Ｆの下面に掛止して床面用型枠Ｆの掛止孔Ｆ１からの下部フック部４２ａの抜け出しを阻止し、それと同時に、ブロック受け台１と係止体４２とが連結されてブロック受け台１が床面用型枠Ｆ上に固定される。なお、ボイドブロックＰは、上述のように緊張材６によってブロック受け台１に固定される。
【００４７】
このように、本実施形態によれば、固定具の部品点数が減らすことができるので、ボイドブロックＰの床面用型枠Ｆへの固定作業の能率が更に向上する。
【００４８】
実施形態７
図２５乃至図３０は実施形態７を示している。ボイドブロックＰの固定具は、ブロック受け台１１と、台固定手段２と、を備えている。
【００４９】
ブロック受け台１１は、ボイドブロックＰの下側外周に接する上向き弧状の受け杆１１ａを備え、該受け杆１１ａの左右両側には脚杆１１ｂが溶接等で固定されている。なお、受け杆１１ａの両側に緊張材６を掛けるための耳フック部１ａを設けても良い。
【００５０】
台固定手段２は、Ｌ形下部フック部４２ａを有する係止体４２と、該係止体４２を引き上げる引き上げ体５６とを備えている。
【００５１】
引き上げ体５６は、ボイドブロックＰの下側に配設され且つ両側に耳フック部５６ａを有する管当て材５６ｂと、ボイドブロックＰの上側周面に沿って配設され且つ両端部が管当て材５６ｂの両耳フック部５６ａに連結される上述の緊張材６と、を備え、係止体４２は引き上げ体５６の管当て材５６ｂに溶接等で固定されている。
【００５２】
以上の固定具を用いて、ボイドブロックＰを床面用型枠Ｆに固定する場合には、係止体４２の下部フック部４２ａを、上述のように床面用型枠Ｆの掛止孔Ｆ１に上方から挿入し、また、受け台を床面用型枠Ｆの上に載置する。次に、図２９のように引き上げ体５６とボイドブロックＰを緊張材６で縛り、該緊張材６を緊張させて緊張材６及び管当て材５６ｂをボイドブロックＰの外周面に圧接させることにより、係止体４２は引き上げられて係止体４２の下部フック部４２ａが床面用型枠Ｆの掛止孔Ｆ１の周囲部の下面側に掛止されると共に、ボイドブロックＰはブロック受け台１１に押し付けられ、ブロック受け台１１からのボイドブロックＰの浮き上がりが防止される。
【００５３】
実施形態８
図３１は実施形態８を示している。ボイドブロックＰの固定具は、ボイドブロックＰを受けるためのブロック受け台１と、該ブロック受け台１を床面用型枠Ｆに固定するための台固定手段２と、を備えている。
【００５４】
台固定手段２は、Ｌ形下部フック部４２ａ及び上部挿通孔４２ｃを有する係止体４２と、該係止体４２を引き上げる引き上げ手段８とを備えている
引き上げ手段８は、ブロック受け台１と係止体４２とを連結する連結手段を兼ね、受け杆１ｂの中央に溶接等で固定される連結体９と、ナット１０とを備えている。連結体９の下部にはＬ形部９ａが形成され、該Ｌ形部９ａには雄めじ部９ｃが形成されている。
【００５５】
そして、上述のように係止体４２の下部フック部４２ａを床面用型枠Ｆの掛止孔Ｆ１に上方から挿入する。次に、係止体４２を引き上げて該係止体４２の上部挿通孔４２ｃに連結体９の雄めじ部９ｃを挿通して該雄めじ部９ｃにナット９を螺合することにより、ブロック受け台１と係止体４２とが連結されてブロック受け台１が床面用型枠Ｆ上に固定される。なお、ボイドブロックＰは、上述のように緊張材６によってブロック受け台１に固定される。
【００５６】
実施形態９
図３２は実施形態９を示している。ボイドブロックＰの固定具は、ボイドブロックＰを受けるためのブロック受け台１と、該ブロック受け台１を床面用型枠Ｆに固定するための台固定手段２と、を備えている。
【００５７】
台固定手段２は、Ｌ形下部フック部４２ａ及び上部挿通孔４２ｃを有する係止体４２と、該係止体４２を引き上げる引き上げ手段８とを備えている
引き上げ手段８は、ブロック受け台１と係止体４２とを連結する連結手段を兼ね、受け杆１ｂの中央に溶接等で固定される連結体９を備えている。連結体９の下部にはＬ形部９ａが形成されている。
【００５８】
そして、上述のように係止体４２の下部フック部４２ａを床面用型枠Ｆの掛止孔Ｆ１に上方から挿入する。次に、係止体４２を引き上げて該係止体４２の上部挿通孔４２ｃに連結体９のＬ形部９ａを挿通することにより、ブロック受け台１と係止体４２とが連結されてブロック受け台１が床面用型枠Ｆ上に固定される。なお、ボイドブロックＰは、上述のように緊張材６によってブロック受け台１に固定される。
【００５９】
【発明の効果】
本発明のボイドブロックの固定具によれば、床面用型枠の上のみでボイドブロックの固定作業が可能となるので、ボイドブロックの固定作業能率を向上させることができる。
【００６０】
また、前記台固定手段は、前記床面用型枠に設けられた掛止孔に前記床面用型枠の上方から挿入されるＬ形フック部を有する係止体と、該係止体を引き上げて前記掛止孔に挿入された前記フック部を前記床面用型枠の下面に掛止させるための引き上げ手段と、を備え、且つ、引き上げ手段は前記ブロック受け台と前記係止体とを連結する連結手段を兼ねるので、固定具の部品点数が減らすことができ、ボイドブロックの床面用型枠への固定作業の能率を更に向上させることができる。
【００６１】
また、前記台固定手段は、前記床面用型枠に設けられた掛止孔に前記床面用型枠の上方から挿入されるＬ形フック部を有する係止体と、該係止体を引き上げて前記掛止孔に挿入された前記フック部を前記床面用型枠の下面に掛止させ、且つ前記係止体を前記ボイドブロックに固定するための引き上げ体と、を備えたので、係止体を引き上げながら、ボイドブロックをブロック受け台に固定することができ、固定作業能率を向上させることができる。
【図面の簡単な説明】
【図１】本発明の実施形態１のブロック受け台の斜視図である。
【図２】（ａ）は同実施形態の引き上げ体の斜視図、（ｂ）は（ａ）とは逆の方向からみた引き上げ体の斜視図、（ｃ）は引き上げ体の縦断面図である。
【図３】同実施形態の施工状態を示す縦断面図である。
【図４】（ａ）乃至（ｃ）は床面用型枠の掛止孔への係止体の取り付け作業を示す断面図である。
【図５】同実施形態の作業工程を示す縦断面図である。
【図６】同実施形態の作業工程を示す縦断面図である。
【図７】同実施形態の作業工程を示す縦断面図である。
【図８】（ａ）は同実施形態の引き上げ体の斜視図、（ｂ）は（ａ）とは逆の方向からみた引き上げ体の斜視図、（ｃ）は引き上げ体の縦断面図である。
【図９】同実施形態の作業工程を示す縦断面図である。
【図１０】同実施形態の作業工程を示す縦断面図である。
【図１１】本発明の実施形態３の斜視図である。
【図１２】同実施形態の作業工程を示す縦断面図である。
【図１３】同実施形態の作業工程を示す縦断面図である。
【図１４】同実施形態の作業工程を示す縦断面図である。
【図１５】（ａ）は実施形態４の引き上げ体の斜視図、（ｂ）は（ａ）とは逆の方向からみた引き上げ体の斜視図である。
【図１６】同実施形態の作業工程を示す縦断面図である。
【図１７】同実施形態の作業工程を示す縦断面図である。
【図１８】同実施形態の作業工程を示す縦断面図である。
【図１９】本発明の実施形態５の斜視図である。
【図２０】本発明の実施形態６を示す斜視図である。
【図２１】同実施形態の作業工程を示す縦断面図である。
【図２２】同実施形態の作業工程を示す縦断面図である。
【図２３】同実施形態の作業工程を示す縦断面図である。
【図２４】同実施形態の作業工程を示す縦断面図である。
【図２５】本発明の実施形態７の斜視図である。
【図２６】本発明の実施形態７の斜視図である。
【図２７】同実施形態の作業工程を示す縦断面図である。
【図２８】同実施形態の作業工程を示す縦断面図である。
【図２９】同実施形態の作業工程を示す縦断面図である。
【図３０】同実施形態の作業工程を示す縦断面図である。
【図３１】（ａ）は本発明の実施形態８の斜視図、（ｂ）（ｃ）は同実施形態の施工状態を示す縦断面図である。
【図３２】（ａ）は本発明の実施形態９の斜視図、（ｂ）（ｃ）は同実施形態の施工状態を示す縦断面図である。
【符号の説明】
Ｐ      ボイドブロック
Ｆ      床面用型枠
Ｆ２    床面用型枠の掛止孔
１      ブロック受け台
２      台固定手段
３      連結体
【図１】
2005009212.tif 000003
【図２】
2005009212.tif 000004
【図３】
2005009212.tif 000005
【図４】
2005009212.tif 000006
【図５】
2005009212.tif 000007
【図６】
2005009212.tif 000008
【図７】
2005009212.tif 000009
【図８】
2005009212.tif 000010
【図９】
2005009212.tif 000011
【図１０】
2005009212.tif 000012
【図１１】
2005009212.tif 000013
【図１２】
2005009212.tif 000014
【図１３】
2005009212.tif 000015
【図１４】
2005009212.tif 000016
【図１５】
2005009212.tif 000017
【図１６】
2005009212.tif 000018
【図１７】
2005009212.tif 000019
【図１８】
2005009212.tif 000020
【図１９】
2005009212.tif 000021
【図２０】
2005009212.tif 000022
【図２１】
2005009212.tif 000023
【図２２】
2005009212.tif 000024
【図２３】
2005009212.tif 000025
【図２４】
2005009212.tif 000026
【図２５】
2005009212.tif 000027
【図２６】
2005009212.tif 000028
【図２７】
2005009212.tif 000029
【図２８】
2005009212.tif 000030
【図２９】
2005009212.tif 000031
【図３０】
2005009212.tif 000032
【図３１】
2005009212.tif 000033
【図３２】
2005009212.tif 000034